(57)【要約】【課題】  簡単な構造によって品質が安定し、施工性が向上された管継手を開示する。【解決手段】  管挿通用の内筒を含む継手本体と、前記内筒の外周側に位置し、継手本体に連結された継手ケースと、この継手ケースの先端側に位置するチャックリングと、このチャックリングを内包し、前記継手ケースの先端側に螺合する袋ナットと、前記内筒の外周に位置するパッキンからなる。内筒には途中に内筒軸方向に一定幅を有する凹溝を設け、凹溝の途中には周方向に突条を設ける一方、パッキンは前記突条に対応する位置に突条に嵌めこむための凹条を設ける。パッキンの軸方向幅は凹溝の軸方向幅より短く、前記パッキンを前記凹溝に装着した状態において前記パッキンの後端側にパッキンと凹溝の幅の差分だけの逃げ代を設ける。【選択図】          図１
2006138378.tif 000002
【特許請求の範囲】
【請求項１】
管挿通用の内筒を含む継手本体と、前記内筒の外周側に位置し、継手本体に連結された継手ケースと、この継手ケースの先端側に位置するチャックリングと、このチャックリングを内包し、前記継手ケースの先端側に螺合する袋ナットと、前記内筒の外周に位置するパッキンからなり、前記内筒には途中に内筒軸方向に一定幅を有する凹溝を設け、さらにこの凹溝の途中には周方向に突条を設ける一方、前記パッキンは前記突条に対応する位置に突条に嵌めこむための凹条を設けたことを特徴とする管継手。
【請求項２】
パッキンの軸方向幅は凹溝の軸方向幅より短く、前記パッキンを前記凹溝に装着した状態において前記パッキンの後端側にパッキンと凹溝の幅の差分だけの逃げ代を設けた請求項１記載の管継手。
【請求項３】
パッキンの外周には、周方向に少なくとも１本の凸線条を設けた請求項１又は２記載の管継手。
【請求項４】
パッキンの内周には、周方向に少なくとも１本の小凸線条を設け、この小凸線条に対応した内筒の凹溝には溝を形成した請求項１〜３のいずれか記載の管継手。
【発明の詳細な説明】
【技術分野】
【０００１】
本発明は、水道管として利用する軟質管などの管継手に係り、特に新規なパッキン構造に関するものである。
【背景技術】
【０００２】
従来から、軟質管などを装着する管継手は各種開発されている。そして、最近では従来からの軟質管だけではなく、中央層が金属で表裏が樹脂からなる三層管が採用されることが増えているが、これらについても継手を用いて管を接続する必要がある。
【０００３】
なお、継手の一例としては次のような先行技術が存在する。
【０００４】
【特許文献１】特開２００４−２３２７４６
【発明の開示】
【発明が解決しようとする課題】
【０００５】
上記先行技術では、内筒部の中央部付近にリング状に線条を設け、この部分にパッキンを装着している。そして、パッキンは樹脂管の挿着時に離脱したり傷がついたりすることを防止するために、接着剤などで線条部分に固定されている。あるいは、別の代替技術として、樹脂管の先端が直接パッキンに当たらないように別途リング状の緩衝部材を挿通している。
【０００６】
しかしながら、当該技術ではパッキンを接着によって固定するため、品質にばらつきが生じるとともに、接着剤の使用による環境面への影響があり、さらに接着工程が存在するので生産効率面で好ましくない。一方、緩衝部材を設ける技術では、樹脂管を一気に挿入せずに段階的に挿入した場合には、緩衝部材の存在意義を十分に発揮できないという問題がある。
【０００７】
本発明では、上記従来の課題を解決するもので、簡単な構造によって品質が安定し、施工性が向上された管継手を開示することを目的とするものである。
【課題を解決するための手段】
【０００８】
上記目的を達成するために、本発明では、管挿通用の内筒を含む継手本体と、前記内筒の外周側に位置し、継手本体に連結された継手ケースと、この継手ケースの先端側に位置するチャックリングと、このチャックリングを内包し、前記継手ケースの先端側に螺合する袋ナットと、前記内筒の外周に位置するパッキンからなる構成とした。そして、内筒には途中に内筒軸方向に一定幅を有する凹溝を設け、さらにこの凹溝の途中には周方向に突条を設ける一方、パッキンは前記突条に対応する位置に突条に嵌めこむための凹条を設けるという手段を用いた。これらの手段では、パッキンが確実に内筒に対して位置決めされる。
【０００９】
また、パッキンの軸方向幅を凹溝の軸方向幅より短くし、パッキンを前記凹溝に装着した状態において前記パッキンの後端側にパッキンと凹溝の幅の差分だけの逃げ代を設けるという手段を用いた。この手段では、管を挿通した場合にパッキンが変形したときに逃げ代が変形分を吸収するという機能を果たすことになる。
【００１０】
さらに、パッキンの外周に周方向に少なくとも１本の凸線条を設けるという手段を選択的に用いるが、この構成によって管とパッキンの水密性をより確実とする。さらにまた、パッキンの内周に周方向に少なくとも１本の小凸線条を設けるという手段も用いたが、これによってパッキンが内筒後端側に不用意な移動を行うことを抑制する。
【００１１】
本発明の管継手の適用としては、従来から存在する軟質管、中間層に金属層を挟んだ態様の三層管、金属管などを対象とした継手であり、その範囲は広い。ただし、ポリプロピレン管のような極軟質の管へは最適ではない。あくまでも、管の内周とパッキンによる水密構造を達成するような態様の管が対象とされることになる。
【発明の効果】
【００１２】
本発明は上記構成を採用したので、簡単な構造によって確実に樹脂管などが継手内筒に挿通でき、しかもパッキンの機能を損なうことがないものとすることができた。
【発明を実施するための最良の形態】
【００１３】
以下、本発明の好ましい実施の形態を添付した図面に従って説明する。図１は本発明の継手全体を示した半截断面図であって、管は挿通されていない状態を示している。図中、１は継手本体、２は継手本体１から一体で設けられた内筒、３は内筒２の途中に軸方向に一定幅を有し、周方向に設けられた凹溝、４は凹溝３の途中に周方向に設けられた突条である。突条４の高さは、内筒２の周面を超えない高さとしている。５は前記凹溝３に挿着されたパッキンであって、その具体的構成としては、内周には前記突条４に対応する凹条６を有している。そして、突条４の凹溝３の先端側からの距離と、凹条６のパッキン５の先端側からの距離をほぼ一致させている。また、パッキン５の軸方向の幅は、凹溝３の幅よりも狭く設定して、パッキン５を凹溝３に挿着した場合にはパッキン５の後端側に逃げ代７が出現するように寸法を規定する。８・８はパッキン外周に設けられた２本の凸線条であり、管を挿通した場合に十分な密閉を達成できるようにしている。
【００１４】
また、９・９はパッキン５の内周に設けられた小凸線条であって、内筒２のこれに対応する位置に溝１０・１０を設けておくことによって、すれ防止を図っている。なお、凸線条８および小凸線条９については２本に限定するものではなく、必要に応じて増減は自由である。また、十分なパッキンの機能を期待できる場合にはこれらを省略することも可能である。１１は継手本体に連結される継手ケース、１２はチャックリング、１３は袋ナットであり、継手ケース１１を継手本体１に螺合などの手段によって組み立てて、内筒２と継手ケース１１間に管を挿通することになる。継手ケース１１、チャックリング１２、および袋ナット１３の構成については、公知の技術を採用するものであり、これらの具体的構造の相違についてはなんら制限を受けるものではない。
【００１５】
図２は図１に示したパッキン５と凹溝３の関係をより明瞭に示した拡大断面図であって、仮想線で表現した管１４を挿通したものである。このように、パッキン５は凹溝３において内筒２の先端側にほぼ接触する付近から後端側に向かって延長されており、凹溝３に設けられた突条４にパッキンに設けられた凹条６を嵌めこむことによって位置決めされる。このようにして後端側に逃げ代７を設けている。このように逃げ代７を設けた場合には、管１４を挿通するとパッキン５が摩擦抵抗によって挿通方向に変形しようとするが、逃げ代７が存在しているので容易に変形を許すことができる。言い換えると、逃げ代７が存在することによって管１４の挿入抵抗を低減することができる。さらに、挿通する管１４は先端の端面が真直ぐにカットされているものだけでなく、切断作業によっては幾分斜めにカットされているものがある。そして、このように斜めの端面を有する管を挿通した場合にはそのエッジによってパッキン５に傷をつけるおそれがある。しかしながら、本実施形態のパッキンのように逃げ代７が存在する場合にはパッキン５に変形を許容することから、傷がつくことを防止することができる。
【００１６】
さらに、凹溝３の突条４にパッキン５の凹条６を嵌めこむことによって、パッキン５を所定の位置に規制し、管１４の挿通時にパッキン５全体が後端側にずれることを抑制している。また、上記説明したように管１４の端面が斜めに切断されている場合でも、パッキン５が位置規制されているため、管１４の挿通時にパッキン５が捲れたりすることを防止できる。
【００１７】
なお、実施形態ではパッキン５の外周に凸線条８を設け、これによって抵抗を少なくしながらパッキン５と管１４の水密性を高めているが、例えばこれを省略してパッキン５の外周を後端側に向かって拡大するテーパとすることも可能である。
【図面の簡単な説明】
【００１８】
【図１】本発明の管継手を示した半截断面図
【図２】凹溝とパッキンの関係を説明した拡大断面図
【符号の説明】
【００１９】
１  継手本体
２  内筒
３  凹溝
４  突条
５  パッキン
６  凹条
７  逃げ代
８  凸線条
９  小凸線条
１０  溝
１４  管
【図１】
2006138378.tif 000003
【図２】
2006138378.tif 000004